(57)【要約】【課題】複数の無線システムがある場合、個々に感度劣化を起こすノイズ成分が異なるため複数のノイズ検出部が必要になる。よって、端末の大型化と部品点数増加によるコストアップを招いてしまう。  【解決手段】ノイズ成分検出を時分割で行なうことで、複数の無線システムにおいても、複数の無線システムに相応することがなく１系統のノイズ成分を検出する検出部で行なうことが可能となり、端末の小型化およびコストダウンが可能となる。【選択図】図１
2011223485.tif 000002
【特許請求の範囲】
【請求項１】
携帯無線端末の内部で発生するノイズ成分を検出する検出手段と、
前記ノイズ成分の位相を制御する第１の制御手段と、
位相が制御された前記ノイズ成分を接続する切替手段と、
前記切替手段を制御する第２の制御手段と、
位相が制御された前記ノイズ成分を受信信号に加算する加算手段と、
を有する携帯無線端末。
【請求項２】
複数の無線システムに相応して前記ノイズ成分を接続切替する、
請求項１記載の携帯無線端末。
【発明の詳細な説明】
【技術分野】
【０００１】
本発明は、受信アンテナに回り込んだ機器内発生ノイズをキャンセルする事で感度劣化を低減する、機器内にノイズキャンセル機能を備える携帯無線端末に関する。
【背景技術】
【０００２】
通信および放送に用いられる、無線信号を受信する受信装置においては、ＣＰＵやメモリ等の回路、受信信号を処理する演算回路、または、それらを動作させる基準クロック発生器等が発生する信号やその信号の高調波成分が受信信号の無線周波数帯域における干渉成分となって、受信信号の品質を劣化させるという内部干渉の問題がある。
【０００３】
近年受信装置は多機能化が進み、その内部に内蔵する回路は増加する一方である。また、受信装置内部で取り扱う信号もディジタル化が進むとともに、処理速度や処理する情報量も増加している。また、受信装置はより一層の小型化が求められ、信号を受信するアンテナも小型化や内蔵化が進んでいる。このため、内部干渉の干渉成分は増加している。また、受信装置の小型化により干渉成分を発生する回路と受信アンテナとの結合が大きくなることにより、内部干渉の問題は一層大きくなっている。
【０００４】
この問題に対する対策のため、回路配置の最適化や、干渉成分の不要な放射を抑圧するための部品（例えば、バイパスコンデンサ、チョークコイル、フィルタ、シールド等）の追加等が行われることがある。このような、回路配置の最適化および部品追加は、受信装置の設計工数の増加や原価の増加、受信装置の大型化をもたらしてしまう。
【０００５】
そこで、以下のように、内部干渉を抑圧する様々な技術が提案されている。
【０００６】
例えば、端末内ノイズを受信するノイズアンテナと、送受信アンテナとを備え、送受信アンテナで受信した受信信号成分とノイズアンテナで受信したノイズ成分との差分を取ることでノイズを抑圧する技術がある（例えば、特許文献１参照）。
【０００７】
また、機器内で発生するノイズを検出し、検出したノイズを受信信号に干渉成分として重畳されているノイズと逆相および同振幅に制御し、制御後のノイズを受信信号に加算してノイズを抑圧する技術がある（例えば、特許文献２照）。
【先行技術文献】
【特許文献】
【０００８】
【特許文献１】特開２００４−２６０４２８号公報
【特許文献２】米国特許出願公開第２００６／０１７８１５７号明細書
【発明の概要】
【発明が解決しようとする課題】
【０００９】
しかしながら、上記特許文献１記載の技術では、ノイズを検出するための素子形状が大きくなって、端末が大型化してしまう。
【００１０】
また、上記特許文献２記載の技術では、複数の無線システムを搭載する携帯無線端末において複数の無線システムのノイズをキャンセルするためには、複数の無線システムに相応した複数のノイズ検出回路が必要になり回路規模が増大し、かつそれら回路を構成する部品点数が増加してしまい、端末の大型化と部品点数増加によるコストアップが課題となる。
【００１１】
本発明はかかる点に鑑みてなされたものであり、端末の大型化と部品点数増加によるコストアップを招くことなく確実に内部干渉を抑えることができる携帯無線端末を提供することを目的とする。
【課題を解決するための手段】
【００１２】
前記従来の課題を解決するため、本発明の携帯無線端末は、第１の無線システムの無線信号を受信する第１のアンテナと、第２の無線システムの無線信号を受信する第２のアンテナと、筐体と、前記筐体の内部で発生するノイズ成分を検出する検出部と、検出された前記ノイズ成分の位相を複数の無線システムにおいてキャンセルしたい無線システムのノイズ成分の位相を変動させる制御部と、受信された前記第１の無線システムの無線信号と位相が制御された前記ノイズ成分とを加算する第１の加算部と、受信された前記第２の無線システムの無線信号と位相が制御された前記ノイズ成分とを加算する第２の加算部と、位相が制御された前記ノイズ成分を前記第１の加算部または前記第２の加算部へ出力することを選択する信号切替部と、を有する。
【００１３】
この構成により、前記信号切替部の切替タイミングを時分割で行なうことで、複数の無線システムにおいても、複数の無線システムに相応することがなく１系統のノイズ成分を検出する検出部で行なうことが可能となり、端末の小型化およびコストダウンが可能となる。
【００１４】
また、本発明の携帯無線端末は、前記制御部で複数の無線システムのうちキャンセルしたい無線システムのノイズ成分の位相を時分割で変動させることで前記信号切替部を用いない構成にすることも可能である。
【発明の効果】
【００１５】
本発明によれば、端末の大型化と部品点数増加によるコストアップを招くことなく、複数の無線システムにおいても確実に内部干渉を抑えることが可能となる。
【図面の簡単な説明】
【００１６】
【図１】本発明の第１の実施形態に係る携帯無線端末の構成例を示すブロック図
【図２】本発明の第１の実施形態に係る携帯無線端末における、信号切替部５０１の切替の一例を示すタイミング図
【図３】本発明の第２の実施形態に係る携帯無線端末の構成例を示すブロック図
【発明を実施するための形態】
【００１７】
以下に、本発明の実施の形態について、図面を参照して詳細に説明する。
【００１８】
（実施の形態１）
図１は、本発明の第１の実施形態に係る携帯無線端末１０１の構成例を示すブロック図である。携帯無線端末１０１は、テレビ受信用アンテナ２０１、テレビ受信用アンプ部２０２、テレビ受信部２０３、加算部２０４、携帯電話用アンテナ３０１、携帯電話受信用アンプ部３０２、携帯電話受信部３０３、加算部３０４、ノイズセンサ４０１、ノイズキャンセル部４０２、信号切替部５０１、端末を制御する制御部６０１、（ＣＰＵやメモリ等の回路で発生する）ノイズ発生源７０１を備えている。
【００１９】
また、デジタルテレビ放送信号におけるノイズ成分は、ノイズキャンセル部で検出されたノイズ成分の位相及び振幅をテレビ放送信号に重畳されたノイズをキャンセルするように制御されたノイズ成分７０２、ノイズが重畳されたテレビ受信信号７０３、ノイズ成分がキャンセルされたテレビ受信信号７０４に示す。なお、セルラー通信信号にも同様なノイズ成分が存在するが本説明では割愛する。  
【００２０】
一方、携帯無線端末１０１の内部には、ノイズ発生源７０１が存在し、ノイズ発生源７０１から発生するノイズ成分が、テレビ受信用アンテナ２０１及び携帯電話用アンテナ３０１に空間的に結合するので、通話信号がノイズ干渉を受け、受信信号の品質が劣化してしまう。そこで、ノイズ発生源７０１の近傍にノイズセンサ４０１を配置し、ノイズ発生源７０１から発生するノイズ成分を検出する。
不図示のテレビ放送局から送信されるデジタルテレビ放送信号は、テレビ受信用アンテナ２０１により受信され、テレビ受信用アンプ部２０２により増幅されて、テレビ受信部２０３により復調されることで、テレビを視聴することができる。
【００２１】
不図示の携帯電話基地局により送信される携帯電話通信信号は、携帯電話用アンテナ３０１により受信され、携帯電話受信用アンプ３０２により増幅されて、携帯電話受信部３０３により復調されることで、セルラー通信を行うことができる。
テレビ受信を良好に受信する場合は、ノイズキャンセル部４０２は、検出されたノイズ成分の位相及び振幅をテレビ放送信号に重畳されたノイズ７０１をキャンセルするように制御（７０２）する。そして、制御部６０１からの制御で信号切替部５０１はテレビシステム側に接続され、加算部２０４によりテレビ受信信号（７０３）とテレビ受信信号（７０３）に重畳されたノイズ成分をキャンセルするように位相及び振幅が変動されたノイズ成分（７０２）を重畳させることでノイズ成分の干渉がキャンセル（７０４）され、テレビ信号の品質劣化を防ぎ良好なテレビ受信を行なうことが可能となる。
セルラー通信を良好に受信する場合は、ノイズキャンセル部４０２は、検出されたノイズ成分の位相及び振幅をセルラー信号に重畳されたノイズをキャンセルするように制御する。そして、制御部６０１からの制御で信号切替部５０１は携帯電話側に接続され、加算部３０４によりセルラー受信信号とセルラー受信信号に重畳されたノイズ成分をキャンセルするように位相及び振幅が変動されたノイズ成分を重畳させることでノイズ成分の干渉がキャンセルされ、セルラー信号の品質劣化を防ぎ良好なセルラー通信を行なうことが可能となる。なお、ノイズ成分の図示は割愛する。
【００２２】
図２は、信号切替部５０１の切り替えタイミングの一例を示した図である。
【００２３】
この例では、携帯電話方式としてＷ−ＣＤＭＡ方式を使用する場合の例を示している。待ち受け状態において、携帯電話受信部３０３は、２．５６秒周期で約２０ミリ秒のみ間欠受信動作しており、それ以外の時間は受信動作しない。一方、テレビ受信部２０３は、テレビ視聴状態において、連続受信動作している。そこで、制御部６０１により信号切替部５０１を制御し、セルラー通信状態、つまり携帯電話受信部３０３が動作する場合のみノイズキャンセル部４０２の出力を携帯電話受信部３０３へ入力し、それ以外の場合にはノイズキャンセル部４０２の出力をテレビ受信部２０３へ入力する。これにより、携帯電話の間欠受信動作時にはノイズキャンセル部４０２を携帯電話の受信品質改善に使用し、それ以外の状態では、テレビの受信品質改善に使用することができる。この場合、携帯電話の間欠受信動作時には、テレビの受信品質改善を行うことができないが、２．５６秒周期で２０ミリ秒程度の時間であれば、テレビ信号の誤り訂正機能により十分受信品質を保つことができるため、テレビ視聴への影響は発生しない。
【００２４】
このように、本実施の形態によれば、ノイズ成分検出を時分割で行なうことで、１系統のノイズ成分検出(ノイズセンサ４０１及びノイズキャンセル部４０２)のみでノイズ検出することができる。
【００２５】
よって、複数の無線システムに対して端末の大型化と部品点数増加によるコストアップを招くことなく、確実に内部干渉を抑えることができる携帯無線端末を提供することが可能となる。
【００２６】
（実施の形態２）  
図３は、本発明の第２の実施形態に係る携帯無線端末１０１の構成例を示すブロック図である。図１に対して信号切替部５０１を削除した構成となっている。よって、（実施の形態１）との差分のみ説明する。
【００２７】
図２でも説明したが、セルラー通信は２．５６秒周期で約２０ミリ秒のみ間欠受信動作している。そこで、セルラー通信が間欠受信している動作時のみ制御部６０１からの制御でノイズキャンセル部４０２はセルラー受信信号に重畳されたノイズ成分をキャンセルするように位相及び振幅が変動されたノイズ成分を加算部３０４に出力する。以上より、ノイズ成分の干渉がキャンセルされ、セルラー信号の品質劣化を防ぎ良好なセルラー通信を行なうことが可能となる。
【００２８】
セルラー通信が間欠受信動作していない場合は、制御部６０１からの制御でノイズキャンセル部４０２はテレビ受信信号に重畳されたノイズ成分をキャンセルするように位相及び振幅が変動されたノイズ成分を加算部２０４に出力する。以上より、ノイズ成分の干渉がキャンセルされ、テレビ受信の品質劣化を防ぎ良好なテレビ受信を行なうことが可能となる。
【産業上の利用可能性】
【００２９】
本発明は、複数の無線システムを搭載する携帯無線端末に有用である。
【符号の説明】
【００３０】
１０１    携帯無線端末
２０１    テレビ受信用アンテナ
２０２    テレビ受信用アンプ部
２０３    テレビ受信部
２０４    加算部
３０１    携帯電話用アンテナ
３０２    携帯電話受信用アンプ部
３０３    携帯電話受信部
３０４    加算部
４０１    ノイズセンサ
４０２    ノイズキャンセル部
５０１    信号切替部
６０１    制御部
７０１    ノイズ発生源
７０２    キャンセル制御されたノイズ成分
７０３    ノイズが重畳されたテレビ受信信号
７０４    ノイズ成分がキャンセルされたテレビ受信信号
【図１】
2011223485.tif 000003
【図２】
2011223485.tif 000004
【図３】
2011223485.tif 000005